(57)【要約】【課題】購入者の検眼結果に応じて、購入者にとってより簡単に、より適切な眼鏡を販売する。【解決手段】販売サーバが、眼鏡処方のための検眼を行なう検眼者の検眼者端末から通信回線を介して送信される顧客の処方データを、顧客識別情報と対応付けて記憶し、眼鏡のフレーム候補群の画像データを顧客端末に送信し、眼鏡のレンズ候補群の画像データを顧客端末に送信し、顧客が選択するフレーム画像と、顧客が選択するレンズ画像と、顧客の顔画像との合成画像に基づいて決定される、顧客が購入するフレーム及びレンズに関する情報を受信し、顧客の処方データを、顧客が購入するレンズを加工するレンズ企業のレンズ企業端末に送信する。【選択図】図１
2011192189.tif 000002
【特許請求の範囲】
【請求項１】
眼鏡を購入する顧客の顧客端末に通信回線を介して接続された販売サーバを備えた眼鏡販売システムにおいて、
前記販売サーバは、
眼鏡処方のための検眼を行なう検眼者の検眼者端末と前記通信回線を介して接続され、
前記検眼者端末から送信される前記顧客の処方データを、当該顧客を識別する顧客識別情報と対応付けて記憶する処方データ記憶部と、
前記眼鏡のフレーム候補群の画像データを前記顧客端末に送信するフレーム画像送信部と、
前記眼鏡のレンズ候補群の画像データを前記顧客端末に送信するレンズ画像送信部と、
前記顧客が選択するフレーム画像と、前記顧客が選択するレンズ画像と、前記顧客の顔画像との合成画像に基づいて決定される、前記顧客が購入するフレーム及びレンズに関する情報を受信する購入要求受信部と、
前記顧客の処方データを、当該顧客が購入するレンズを製造するレンズ企業のレンズ企業端末に送信する処方データ送信部と、
を備えることを特徴とする眼鏡販売システム。
【請求項２】
前記販売サーバまたは前記検眼者端末は、前記合成画像を生成する合成画像生成部
を備えることを特徴とする請求項１に記載の眼鏡販売システム。
【請求項３】
前記処方データには瞳孔間距離の情報が含まれ、
前記瞳孔間距離を基準として、前記顔画像から前記眼鏡の製造に必要な顔形状情報を算出する顔形状情報算出部
を備えることを特徴とする請求項１又は請求項２に記載の眼鏡販売システム。
【請求項４】
前記検眼者端末は移動可能な無線局であり、無線通信を介して前記処方データを前記販売サーバに送信する
ことを特徴とする請求項１から請求項３までのいずれか１項に記載の眼鏡販売システム。
【請求項５】
前記顧客端末は、前記顧客の顔画像を撮像する撮像部を備え、
前記合成画像生成部は、前記撮像部によって撮像された前記顔画像の動きに追従して前記合成画像を生成する
ことを特徴とする請求項２に記載の眼鏡販売システム。
【請求項６】
前記販売サーバは、フレームの複数のモジュール毎の画像データを記憶するフレーム情報記憶部を備え、
前記フレーム画像送信部は、前記モジュール毎の画像データを前記顧客端末に送信する
ことを特徴とする請求項１から請求項５までのいずれか１項に記載の眼鏡販売システム。
【請求項７】
前記販売サーバは、
前記顧客が選択する前記モジュールの組み合わせに関するモジュール選択情報を受信するモジュール選択情報受信部と、
前記モジュール選択情報を、前記顧客が購入するフレームを製造するフレーム企業のフレーム企業端末に送信するモジュール選択情報送信部と、
を備えることを特徴とする請求項６に記載の眼鏡販売システム。
【請求項８】
前記販売サーバは、
眼鏡の納品までの期限または価格のいずれかが含まれる購入条件情報を受信する購入条件受信部と、
前記購入条件を満たすフレームまたはレンズを抽出するレンズ・フレーム抽出部と、
を備えることを特徴とする請求項１から請求項７までのいずれか１項に記載の眼鏡販売システム。
【請求項９】
前記販売サーバは、
前記顧客の指定日を示す情報が含まれる個人データを記憶する顧客情報記憶部と、
前記指定日または前記指定日より前に、当該指定日に対応する前記顧客の顧客端末に対して、所定の広告情報を送信する広告情報送信部と、
を備えることを特徴とする請求項１から請求項８までのいずれか１項に記載の眼鏡販売システム。
【請求項１０】
前記販売サーバは、
前記顧客端末から送信された購入要求を示す購入履歴が含まれる個人データを記憶する顧客情報記憶部と、
前記購入履歴に応じて、対応する前記顧客に対して推奨する前記フレームまたは前記レンズの情報を送信する推奨情報送信部と、
を備えることを特徴とする請求項１から請求項９までのいずれか１項に記載の眼鏡販売システム。
【請求項１１】
前記販売サーバは、
前記検眼者端末から送信される前記処方データに応じて、所定の手数料情報を前記検眼者端末に送信する手数料情報送信部
を備えることを特徴とする請求項１から請求項１０までのいずれか１項に記載の眼鏡販売システム。
【請求項１２】
前記販売サーバは、
前記処方データに応じたレンズの設計データが予め記憶される設計データ記憶部と、
前記購入要求受信部が受信する前記レンズに関する情報に応じて、前記顧客の処方データに応じた前記レンズの設計データを、前記レンズ企業端末に送信する設計データ送信部と、
を備えることを特徴とする請求項１から請求項１１までのいずれか１項に記載の眼鏡販売システム。
【請求項１３】
前記販売サーバは、前記処方データに応じたコンタクトレンズを加工する企業のコンタクトレンズ企業端末に前記通信回線を介して接続され、
前記販売サーバの、
前記購入要求受信部は、前記顧客端末から前記コンタクトレンズの購入要求を受信し、
前記処方データ送信部は、前記処方データを前記コンタクトレンズ企業端末に送信する
ことを特徴とする請求項１から請求項１２までのいずれか１項に記載の眼鏡販売システム。
【請求項１４】
前記合成画像生成部は、前記顧客端末によって選択された色つきレンズを合成した前記合成画像を生成する
ことを特徴とする請求項２から請求項１３までのいずれか１項に記載の眼鏡販売システム。
【請求項１５】
前記合成画像生成部は、顧客端末によって選択された眼鏡フレームにレンズを枠入れした状態のレンズ側面の厚さ示す画像を生成する
ことを特徴とする請求項２から請求項１４までのいずれか１項に記載の眼鏡販売システム。
【請求項１６】
前記処方データには、近視度数、遠視度数、乱視度数、乱視軸角度、瞳孔間距離のうち少なくとも一つの情報が含まれる
ことを特徴とする請求項１から請求項１５までのいずれか１項に記載の眼鏡販売システム。
【請求項１７】
前記販売サーバは、
前記顧客に対する眼鏡の配送先を示す情報が含まれる個人データを記憶する顧客情報記憶部と、
前記顧客が購入するフレーム及びレンズの枠入れ加工を行なう組み立て企業の組み立て企業端末に、前記顧客に対応する前記配送先を送信する配送先送信部と、
を備えることを特徴とする請求項１から請求項１６までのいずれか１項に記載の眼鏡販売システム。
【請求項１８】
眼鏡を顧客に販売する眼鏡販売システムに用いられる販売サーバに通信回線を介して接続されたレンズ企業端末であって、
前記販売サーバは、
眼鏡処方のための検眼を行なう検眼者の検眼者端末と前記通信回線を介して接続され、
前記検眼者端末から送信される前記顧客の処方データを、当該顧客を識別する顧客識別情報と対応付けて記憶する処方データ記憶部と、
前記顧客が選択するフレーム画像と、前記顧客が選択するレンズ画像と、前記顧客の顔画像との合成画像に基づいて決定される、前記顧客が購入するレンズに関する情報を受信する購入要求受信部と、
前記顧客の処方データ及び前記顧客が購入するレンズに関する情報をレンズ企業端末に送信する処方データ送信部と、
を備え、
前記レンズ企業端末は、
前記販売サーバから送信される前記顧客の処方データ及び前記顧客が購入するレンズに関する情報を受信する処方データ受信部
を備えることを特徴とするレンズ企業端末。
【請求項１９】
眼鏡を顧客に販売する眼鏡販売システムに用いられる販売サーバに通信回線を介して接続されたフレーム企業端末であって、
前記販売サーバは、
眼鏡処方のための検眼を行なう検眼者の検眼者端末と前記通信回線を介して接続され、
前記検眼者端末から送信される前記顧客の処方データを、当該顧客を識別する顧客識別情報と対応付けて記憶する処方データ記憶部と、
前記顧客が選択するフレーム画像と、前記顧客が選択するレンズ画像と、前記顧客の顔画像との合成画像に基づいて決定される、前記顧客が購入するレンズに関する情報を受信する購入要求受信部と、
前記前記顧客が購入するフレームに関する情報をフレーム企業端末に送信するフレーム情報送信部と、
を備え、
前記フレーム企業端末は、
前記販売サーバから送信される前記顧客が購入するフレームに関する情報を受信するフレーム情報受信部
を備えることを特徴とするフレーム企業端末。
【請求項２０】
眼鏡処方のための検眼を行なう検眼者の検眼者端末から送信される顧客の処方データを、当該顧客を識別する顧客識別情報と対応付けて記憶する処方データ記憶過程と、
眼鏡のフレーム候補群の画像データを前記顧客の顧客端末に送信するフレーム画像送信過程と、
眼鏡のレンズ候補群の画像データを前記顧客端末に送信するレンズ画像送信過程と、
前記顧客が選択するフレーム画像と、前記顧客が選択するレンズ画像と、前記顧客の顔画像との合成画像に基づいて決定される、前記顧客が購入するフレーム及びレンズに関する情報を受信する購入要求受信過程と、
前記顧客の処方データを、当該顧客が購入するレンズを製造するレンズ企業のレンズ企業端末に送信する処方データ送信過程と、
を備えることを特徴とする眼鏡販売方法。
【請求項２１】
眼鏡処方のための検眼を行なう検眼者の検眼者端末から送信される顧客の処方データを、当該顧客を識別する顧客識別情報と対応付けて記憶する処方データ記憶過程と、
眼鏡のフレーム候補群の画像データを前記顧客の顧客端末に送信するフレーム画像送信過程と、
眼鏡のレンズ候補群の画像データを前記顧客端末に送信するレンズ画像送信過程と、
前記顧客が選択するフレーム画像と、前記顧客が選択するレンズ画像と、前記顧客の顔画像との合成画像に基づいて決定される、前記顧客が購入するフレーム及びレンズに関する情報を受信する購入要求受信過程と、
前記顧客の処方データを、当該顧客が購入するレンズを製造するレンズ企業のレンズ企業端末に送信する処方データ送信過程と、
の動作をコンピュータに実行させるコンピュータ実行可能な眼鏡販売プログラム。
【発明の詳細な説明】
【技術分野】
【０００１】
本発明は、ネットワーク通信に基づいて眼鏡販売を行う技術に関する。
【背景技術】
【０００２】
眼鏡を購入する際、一般的には、まず購入者が眼鏡販売店の店舗に行き、例えば眼鏡販売店に併設される眼科医院などで視力測定や瞳孔間距離等の検眼が行なわれる。購入者は、眼鏡販売店に用意された複数の眼鏡フレームから、自身の好みに応じた眼鏡フレームを選択する。また、購入者は、検眼結果に応じてレンズの素材や屈折率等の種類を選択する。眼鏡販売店は、選択されたレンズをレンズ企業に発注する。レンズ企業は、検眼結果に応じたレンズの設計データに基づいてレンズを製造、加工し、加工したレンズを発注元の眼鏡販売店の店舗に配送する。そして、眼鏡販売店が、フレームに合わせてレンズを加工し、フレームにレンズをはめ込んで眼鏡を組み立てる。購入者は、再度、眼鏡販売店の店舗に行き、組み立てられた眼鏡を受け取る。
特許文献１に記載された技術では、眼鏡の購入者が、眼科医に診断してもらった処方箋または無人店舗等で測定した瞳孔間距離等の処方箋に基づいて、検眼結果を端末に入力する。端末は、入力された検眼結果を、インターネットを介して接続されたサーバに送信する。サーバ側では、フレーム仕入れ先のサーバやレンズ仕入先のサーバ等の複数のサーバ間で情報を送受信することにより、加工された眼鏡が購入者に配送される。
【先行技術文献】
【特許文献】
【０００３】
【特許文献１】特開２００２−１６２６０７号公報
【発明の概要】
【発明が解決しようとする課題】
【０００４】
しかしながら、特許文献１に記載の技術では、眼鏡の購入者が、眼科医に診断してもらった処方箋、または無人店舗等で測定した瞳孔間距離等の処方箋に基づいて、検眼結果を端末に入力することが必要となる。ここで、検眼結果には複数の専門的な情報が含まれており、一般的な購入者にとって処方箋におけるどの項目がどのような意味を持つかを把握することは困難である場合が多い。このため、購入者が、眼鏡の購入のために要求されている情報を正確に判別し、端末に入力することは困難である場合があると考えられる。また、購入者が、眼科医や無人店舗等で渡される処方箋から眼鏡の購入のために必要な情報を読み取り、自身で端末に入力する場合には、データの入力誤りや必要な情報の入力不足などにより、眼鏡の製造、加工のために十分な情報がサーバに送信されないことがあると考えられる。これにより、十分に適切な眼鏡が製造、加工できず、このようにして販売された眼鏡によっては、購入者は十分な視力が得られなかったり、装用の不快感を覚えたりすることがあると考えられる。ここで、ネットワーク経由で眼鏡の販売を行なう場合にも、購入者の検眼結果に応じて、購入者にとってより簡単に、より適切な眼鏡を販売することが望ましい。
【０００５】
本発明は、このような状況に鑑みてなされたもので、ネットワーク通信に基づいて眼鏡販売を行う際、購入者にとって簡単に適切な眼鏡を販売する眼鏡販売システム、レンズ企業端末、フレーム企業端末、眼鏡販売方法、および眼鏡販売プログラムを提供する。
【課題を解決するための手段】
【０００６】
上述した課題を解決するために、本発明の第１の態様に従えば、眼鏡を購入する顧客の顧客端末に通信回線を介して接続された販売サーバを備えた眼鏡販売システムにおいて、販売サーバは、眼鏡処方のための検眼を行なう検眼者の検眼者端末と通信回線を介して接続され、検眼者端末から送信される顧客の処方データを、顧客を識別する顧客識別情報と対応付けて記憶する処方データ記憶部と、眼鏡のフレーム候補群の画像データを顧客端末に送信するフレーム画像送信部と、眼鏡のレンズ候補群の画像データを顧客端末に送信するレンズ画像送信部と、顧客が選択するフレーム画像と、顧客が選択するレンズ画像と、顧客の顔画像との合成画像に基づいて決定される、顧客が購入するフレーム及びレンズに関する情報を受信する購入要求受信部と、顧客の処方データを、顧客が購入するレンズを製造するレンズ企業のレンズ企業端末に送信する処方データ送信部と、を備えることを特徴とする眼鏡販売システムが提供される。
【０００７】
また、本発明の第２の態様に従えば、眼鏡を顧客に販売する眼鏡販売システムに用いられる販売サーバに通信回線を介して接続されたレンズ企業端末であって、販売サーバは、眼鏡処方のための検眼を行なう検眼者の検眼者端末と通信回線を介して接続され、検眼者端末から送信される顧客の処方データを、顧客を識別する顧客識別情報と対応付けて記憶する処方データ記憶部と、顧客が選択するフレーム画像と、顧客が選択するレンズ画像と、顧客の顔画像との合成画像に基づいて決定される、顧客が購入するレンズに関する情報を受信する購入要求受信部と、顧客の処方データ及び顧客が購入するレンズに関する情報をレンズ企業端末に送信する処方データ送信部と、を備え、レンズ企業端末は、販売サーバから送信される顧客の処方データ及び顧客が購入するレンズに関する情報を受信する処方データ受信部を備えることを特徴とするレンズ企業端末が提供される。
【０００８】
また、本発明の第３の態様に従えば、眼鏡を顧客に販売する眼鏡販売システムに用いられる販売サーバに通信回線を介して接続されたフレーム企業端末であって、販売サーバは、眼鏡処方のための検眼を行なう検眼者の検眼者端末と通信回線を介して接続され、検眼者端末から送信される顧客の処方データを、顧客を識別する顧客識別情報と対応付けて記憶する処方データ記憶部と、顧客が選択するフレーム画像と、顧客が選択するレンズ画像と、顧客の顔画像との合成画像に基づいて決定される、顧客が購入するレンズに関する情報を受信する購入要求受信部と、顧客が購入するフレームに関する情報をフレーム企業端末に送信するフレーム情報送信部と、を備え、フレーム企業端末は、販売サーバから送信される顧客が購入するフレームに関する情報を受信するフレーム情報受信部を備えることを特徴とするフレーム企業端末が提供される。
【０００９】
また、本発明の第４の態様に従えば、眼鏡処方のための検眼を行なう検眼者の検眼者端末から送信される顧客の処方データを、顧客を識別する顧客識別情報と対応付けて記憶する処方データ記憶過程と、眼鏡のフレーム候補群の画像データを顧客の顧客端末に送信するフレーム画像送信過程と、眼鏡のレンズ候補群の画像データを顧客端末に送信するレンズ画像送信過程と、顧客が選択するフレーム画像と、顧客が選択するレンズ画像と、顧客の顔画像との合成画像に基づいて決定される、顧客が購入するフレーム及びレンズに関する情報を受信する購入要求受信過程と、顧客の処方データを、顧客が購入するレンズを製造するレンズ企業のレンズ企業端末に送信する処方データ送信過程と、を備えることを特徴とする眼鏡販売方法が提供される。
【００１０】
また、本発明の第５の態様に従えば、眼鏡処方のための検眼を行なう検眼者の検眼者端末から送信される顧客の処方データを、顧客を識別する顧客識別情報と対応付けて記憶する処方データ記憶過程と、眼鏡のフレーム候補群の画像データを顧客の顧客端末に送信するフレーム画像送信過程と、眼鏡のレンズ候補群の画像データを顧客端末に送信するレンズ画像送信過程と、顧客が選択するフレーム画像と、顧客が選択するレンズ画像と、顧客の顔画像との合成画像に基づいて決定される、顧客が購入するフレーム及びレンズに関する情報を受信する購入要求受信過程と、顧客の処方データを、顧客が購入するレンズを製造するレンズ企業のレンズ企業端末に送信する処方データ送信過程と、の動作をコンピュータに実行させるコンピュータ実行可能な眼鏡販売プログラムが提供される。
【発明の効果】
【００１１】
本発明によれば、ネットワーク通信に基づいて眼鏡販売を行う際、購入者にとって簡単に適切な眼鏡を販売する眼鏡販売システム、レンズ企業端末、フレーム企業端末、眼鏡販売方法、および眼鏡販売プログラムを提供することが可能となる。
【図面の簡単な説明】
【００１２】
【図１】本発明の一実施形態による眼鏡販売システムの構成例を示すブロック図である。
【図２】本発明の一実施形態による処方データ記憶部に記憶されるデータ例を示す図である。
【図３】本発明の一実施形態により算出する顔形状の例を示す図である。
【図４】本発明の一実施形態により生成する合成画像の例を示す図である。
【図５】本発明の一実施形態により生成する合成画像の例を示す図である。
【図６】本発明の一実施形態による眼鏡販売システムの動作例を示すシーケンス図である。
【図７】本発明の一実施形態によるフレーム情報記憶部に記憶されるフレーム素材の例を示す図である。
【図８】本発明の一実施形態によるフレーム情報記憶部に記憶されるフレーム枠形状の例を示す図である。
【図９】本発明の一実施形態による顧客端末に表示される価格選択用画面の例を示す図である。
【図１０】本発明の一実施形態による顧客端末に表示される顔形状選択用画面の例を示す図である。
【発明を実施するための形態】
【００１３】
以下、本発明の一実施形態について、図面を参照して説明する。
図１は、本実施形態による眼鏡販売システム１の構成を示すブロック図である。眼鏡販売システム１は、顧客端末１００と、検眼者端末２００と、レンズ企業端末３００と、フレーム企業端末４００と、組み立て企業端末５００と、コンタクトレンズ企業端末６００と、販売サーバ７００とのコンピュータ装置を備えており、これらのコンピュータ装置は通信回線を介して接続されている。本実施形態では、これらのコンピュータ装置をそれぞれ一台ずつ図示して説明するが、それぞれのコンピュータ装置は複数台であって良い。例えば、眼鏡販売システム１は、複数の顧客によって用いられる複数の顧客端末１００や、複数の検眼者によって用いられる複数の検眼者端末２００などを備えていて良い。
【００１４】
顧客端末１００は、眼鏡販売システム１を用いて眼鏡を購入する顧客（ユーザ）のコンピュータ装置である。顧客端末１００には、具体的には、ＰＣ（パーソナルコンピュータ）、ＰＤＡ（Personal Digital Assistant）、携帯電話端末などが適用できる。本実施形態では、顧客端末１００にＰＣを適用するとして説明する。顧客端末１００は、顧客からの情報入力を受付けるキーボードやボタンなどの入力部や、入力された情報や販売サーバ７００等から送信される情報を表示するディスプレイなどの表示部などを備える。また、顧客端末１００は、ＨＴＴＰ（HyperText Transfer Protocol）等に基づいてインターネット通信を行うインターネットブラウザの機能を備えている。また、顧客端末１００は、撮像部１１０を備えている。撮像部１１０は、顧客の顔画像等を撮像するカメラである。撮像部１１０は、静止画像を撮像するカメラであっても良いが、本実施形態では動画を撮像するカメラ（ウェブカメラ）として説明する。顧客によって顧客端末１００が操作され、撮像部１１０が顧客の顔を撮像するように向けられることによって、撮像部１１０は顧客の顔画像を撮像する。顧客端末１００は、入力部に入力された情報や、撮像部１１０が撮像した顔画像の画像データ等を、通信回線を通じて販売サーバ７００に送信する。
【００１５】
検眼者端末２００は、眼鏡処方のための検眼を行なう検眼者のコンピュータ装置である。検眼者端末２００には、顧客端末１００と同様のＰＣ等が適用できる。ここで、検眼者とは、例えば眼科医や、眼鏡販売店において顧客の検眼を行なう店員などである。検眼では、例えば、問診、視力検査、カバーテストやきき目テストなどの予備検査、角膜湾曲検査や屈折検査などの他覚検査、自覚検査、テストフレームによる装用検査などが行なわれる。検眼者端末２００には、このような検眼の結果として、瞳孔間距離、近視度数、遠視度数、乱視度数、乱視軸角度、プリズム度数などが含まれる処方データが入力される。検眼者端末２００に入力された処方データは、通信回線を通じて、眼鏡処方のために販売サーバ７００に送信される。
【００１６】
ここで、検眼者端末２００には、無線通信により通信回線に接続可能であるノートＰＣなどの移動可能な無線局が適用できる。検眼者端末２００は、無線通信回線を介して、検眼者によって入力された処方データを販売サーバ７００に送信する。あるいは、眼科医等の検眼者が車等で顧客を巡回し、車載アンテナから処方データが送信されるようにしても良い。ここで、このような検眼は眼鏡等に関する専門知識を有する検眼者によって行われる必要があるが、このようにすれば、例えば移動可能な検眼者端末２００を検眼者が持参して眼鏡販売店が存在しない地域に行き、その地域に居住する顧客の検眼を行って、検眼者端末２００が処方データの入力を受付けて販売サーバ７００に送信することができる。これにより、眼鏡販売店が存在しない地域に居住する顧客にも、顧客に合った適切な眼鏡を提供することができる。
【００１７】
レンズ企業端末３００は、眼鏡に用いるレンズを設計、製造、加工するレンズ企業のコンピュータ装置である。レンズ企業端末３００には、顧客端末１００と同様のＰＣ等が適用できる。レンズ企業は、販売サーバ７００からレンズ企業端末３００に送信される処方データ等に基づいて、レンズを設計、製造、加工する。ここで、レンズ設計とは、処方データに基づいてレンズの形状を設計することをいう。また、レンズ加工とは、レンズ設計に基づいてレンズを加工することをいう。このようなレンズ設計とレンズ加工とは、同一の企業が行っても良いし、異なる企業が行っても良い。また、レンズ企業は、販売サーバ７００からレンズ企業端末３００に送信されるレンズの設計データに基づいて、レンズを製造、加工しても良い。
【００１８】
フレーム企業端末４００は、眼鏡に用いるフレームを設計、製造、加工するフレーム企業のコンピュータ装置である。フレーム企業端末４００には、顧客端末１００と同様のＰＣ等が適用できる。フレーム企業は、販売サーバ７００からフレーム企業端末４００に送信されるモジュール選択情報や処方データ等に基づいて、フレームを製造、加工する。
【００１９】
組み立て企業端末５００は、レンズ企業によって製造、加工されたレンズを、フレーム企業によって製造、加工されたフレームにはめ込んで眼鏡を組み立てる組み立て企業のコンピュータ装置である。組み立て企業は、レンズとフレームとが到着すると、フレームトレーサにより、フレーム形状を測定する。そして、測定したフレーム形状に基づいて、玉摺り機によりレンズを加工する。組み立て企業は、フレームに枠入れして眼鏡を組み立てると、眼鏡を顧客に配送する。ここで、組み立て企業は、販売サーバ７００から組み立て企業端末５００に送信される眼鏡の配送先に基づいて、配送先である顧客に眼鏡を配送する。組み立て企業端末５００には、顧客端末１００と同様のＰＣ等が適用できる。
【００２０】
コンタクトレンズ企業端末６００は、処方データに応じたコンタクトレンズを設計、製造、加工するコンタクトレンズ企業のコンピュータ装置である。コンタクトレンズ企業は、販売サーバ７００から販売サーバ７００に送信される処方データや顧客へのコンタクトレンズの配送先を示す情報などに基づいて、コンタクトレンズを製造、加工して、顧客に対して適切なコンタクトレンズを配送する。
【００２１】
販売サーバ７００は、通信回線を介して接続された複数のコンピュータ装置と通信を行い、顧客に対する眼鏡の販売を制御するコンピュータ装置である。ここで、販売サーバ７００はウェブサーバの機能を備えており、仮想的に眼鏡を試着する眼鏡試着画面を提供する。販売サーバ７００は、顧客端末１００からのアクセスに応じて顧客の顔画像と眼鏡の画像とを合成した合成画像を生成して顧客端末１００に送信することにより、仮想的に眼鏡を試着して、眼鏡の装着状態を確認できるウェブサービスを提供する。また、販売サーバ７００は、仮想的に顧客が試着した眼鏡の購入要求を顧客端末１００から受信すると、レンズ企業端末３００やフレーム企業端末４００などとの間で情報通信を行い、顧客に合った加工を行なった眼鏡を顧客に配送させる。
【００２２】
ここで、販売サーバ７００は、処方データ受信部７０１と、処方データ記憶部７０２と、手数料情報送信部７０３と、フレーム情報記憶部７０４と、レンズ情報記憶部７０５と、レンズ・フレーム抽出部７０６と、フレーム画像送信部７０７と、レンズ画像送信部７０８と、レンズ・フレーム選択情報受信部７０９と、顔画像受信部７１０と、顔画像記憶部７１１と、顔形状算出部７１２と、合成画像生成部７１３と、合成画像送信部７１４と、購入要求受信部７１５と、モジュール選択情報受信部７１６と、購入フレーム情報送信部７１７と、購入条件受信部７１８と、顧客情報記憶部７１９と、広告情報記憶部７２０と、広告情報送信部７２１と、推奨情報送信部７２２と、処方データ送信部７２３と、設計データ記憶部７２４と、設計データ送信部７２５と、配送先送信部７２６とを備えている。
【００２３】
処方データ受信部７０１は、検眼者によって顧客が検眼された検眼結果である処方データを、検眼者端末２００から受信する。
処方データ記憶部７０２には、検眼者端末２００から送信される顧客の処方データと、その顧客を識別する顧客識別情報（ユーザＩＤ等）とが対応付けられて記憶される。図２は、処方データ記憶部７０２に記憶される処方データのデータ例を示す図である。
【００２４】
手数料情報送信部７０３は、検眼者端末２００から販売サーバ７００に送信される処方データに応じて、所定の手数料情報を検眼者端末２００に送信する。このように、検眼者が顧客の検眼を行い、検眼者端末２００に処方データを入力して販売サーバ７００に送信させることによるリベートとして、販売サーバ７００の運営者は、検眼者に金銭等の支払を行なう。これにより、検眼者が顧客の検眼を行うインセンティブが確保される。この支払は、例えば現金振込みや電子貨幣などにより行なわれるようにしても良い。
【００２５】
フレーム情報記憶部７０４には、顧客に販売する眼鏡のフレーム候補群の画像データが記憶されている。例えば、フレーム情報記憶部７０４には、フレームを識別するフレーム識別情報に対応付けられて、フレームの素材、枠の形状、色、価格などに応じて様々な複数種類のフレームの画像データが記憶されている。図７は、フレーム情報記憶部７０４に記憶されるフレーム素材の例を示す図である。フレーム素材としては、例えば、セル、メタル、ツーポイント（縁なし）、ナイロール（溝掘り）、コンビネーション（ブロー、コンビ）等がある。図８は、フレーム情報記憶部７０４に記憶されるフレーム枠形状の例を示す図である。フレーム枠形状としては、例えば、ボストン型、ウェリントン型、オーバル型、ラウンド型（ロイド型）、フォックス型等がある。ここで、フレーム情報記憶部７０４には、例えば、フロント、つる（テンプル）、ブリッジなどフレームを構成する部位（モジュール）毎に複数種類の製品の画像が記憶されるようにしても良い。この場合、モジュールごとに、素材、料金などの情報が対応付けられて記憶されるようにしても良い。また、モジュールの組み合わせに応じて、フレームの組み立てまでに要する期間などが対応付けられて記憶されるようにしても良い。このようにして、フレーム情報記憶部７０４に記憶されたモジュール毎の複数種類の画像データを顧客端末１００に送信し、モジュール毎に好みの製品の選択を受付け、選択されたモジュールを使用したフレームを販売することができる。
【００２６】
レンズ情報記憶部７０５には、顧客に販売する眼鏡のレンズ候補群の画像データが記憶されている。例えば、レンズ情報記憶部７０５には、レンズを識別するレンズ識別情報に対応付けられて、レンズの素材、表面処理、色、濃さ、重量、価格などに応じて複数種類のレンズが記憶されている。レンズ情報記憶部７０５に記憶されているレンズには色つきレンズが含まれている。色つきレンズには、例えばファッション性や防眩効果などのために日常生活で利用するカラー濃度の低いレンズや、日差しの強いところでの遮光のために利用するカラー濃度の高いレンズなどが含まれる。
【００２７】
レンズ・フレーム抽出部７０６は、フレーム情報記憶部７０４に記憶されたフレーム候補群のうち、顧客端末１００に送信するフレームの画像データと、レンズ情報記憶部７０５に記憶されたレンズ候補群のうち、顧客端末１００に送信するレンズの画像データとを読み出す。ここで、レンズ・フレーム抽出部７０６は、例えば、顧客情報記憶部７１９に予め記憶された顧客の属性情報や購入履歴、または購入条件受信部７１８が顧客端末１００から受信する購入条件などに基づいて、顧客に提示するレンズやフレームを抽出する。
【００２８】
例えば、レンズ・フレーム抽出部７０６は、購入条件受信部７１８が顧客端末１００から受信する購入条件に応じたレンズまたはフレームを、フレーム情報記憶部７０４またはレンズ情報記憶部７０５から読み出す。購入条件とは、例えば、眼鏡の納品までの期限や、価格などである。フレーム情報記憶部７０４またはレンズ情報記憶部７０５には、発注から加工の完了までに要する期間や、値段などが対応付けられて記憶されており、レンズ・フレーム抽出部７０６は、これらの情報を参照して、購入条件を満たすレンズまたはフレームを、フレーム情報記憶部７０４またはレンズ情報記憶部７０５から抽出する。
【００２９】
あるいは、レンズ・フレーム抽出部７０６は、例えば顧客情報記憶部７１９に記憶された顧客の購入履歴に応じて、ユーザに推奨するレンズやフレームを抽出するようにしても良い。例えば、フレームやレンズの種類に応じたカテゴリを予めフレーム情報記憶部７０４またはレンズ情報記憶部７０５に記憶させておき、顧客が購入したフレームやレンズと同じカテゴリのもののうち、人気のもの（他の顧客による購入回数が大きいもの）を抽出するようにしても良い。また、顧客が購入したフレームやレンズと同系の色や、同価格帯のものなどを抽出するようにしても良い。
【００３０】
フレーム画像送信部７０７は、レンズ・フレーム抽出部７０６によって読み出された、フレーム情報記憶部７０４に記憶された眼鏡のフレーム候補群の画像データを顧客端末１００に送信する。ここで、レンズ・フレーム抽出部７０６によって、モジュール毎の画像データが抽出された場合には、フレーム画像送信部７０７は、モジュール毎の画像データを顧客端末１００に送信する。
【００３１】
レンズ画像送信部７０８は、レンズ・フレーム抽出部７０６によって読み出された、レンズ情報記憶部７０５に記憶された眼鏡のレンズ候補群の画像データを顧客端末１００に送信する。
レンズ・フレーム選択情報受信部７０９は、フレーム画像送信部７０７やレンズ画像送信部７０８によって顧客端末１００に送信された画像データのうち、顧客端末１００によって選択されたレンズやフレームを識別する識別情報を、顧客端末１００から受信する。
【００３２】
顔画像受信部７１０は、顧客端末１００から送信される顧客の顔画像を受信する。ここで、顔画像受信部７１０が受信する顔画像は、一例として動画であることとする。顔画像受信部７１０は、時間とともに顧客の顔の向きや表情などが変化し得る動画を受信する。
顔画像記憶部７１１には、顔画像受信部７１０によって受信された顧客の顔画像が記憶される。
【００３３】
顔形状算出部７１２は、処方データ記憶部７０２に記憶されている処方データに含まれる瞳孔間距離を基準として、顔画像記憶部７１１に記憶されている顔画像から眼鏡の製造に必要な顔形状情報を算出する。例えば、顔形状算出部７１２は、画像の顔認識処理により、画像に含まれる目の位置や耳の位置を算出する。ここでは、例えば図３（ａ）の符号ａ１に示される距離は、処方データ記憶部７０２に記憶されている瞳孔間距離に対応する。そこで、画面中の符号ａ１の長さを基準として、顔の形状を算出することが可能である。例えば、図３（ｂ）に示されるように、顔が横を向いた場合、瞳孔間距離は、符号ａ１´に示すように、図３（ａ）におけるａ１の長さよりも短くなる。そこで、このような長さの変化に基づいて、例えば三次元コンピュータグラフィックスにおけるレイトレーシングの技術を用いて、顔画像に眼鏡フレームを合成し、人物が眼鏡をかけた場合の、符合ｂ１に示すつるの長さを算出する。顔形状情報には、例えば瞳孔の高さ、パッド幅、パッド高さ、パッド傾斜角、フロント幅、フロント傾斜角、ヨロイ高さ、ヨロイ開き角、テンプル長さ、ベンディング角、アイポイント位置、パッド間隔、パッド深さ、耳掛け部曲げ角度等が含まれる。このように、顔形状算出部７１２は、眼鏡の製造に必要な顔形状情報を算出する。
【００３４】
合成画像生成部７１３は、顧客が選択するフレーム画像と、顧客が選択するレンズ画像と、顧客の顔画像との合成画像を生成する。例えば、合成画像生成部７１３は、三次元コンピュータグラフィックスの技術を用いて、図４（ａ）に示される顔画像と、図４（ｂ）に示されるフレーム画像とを合成して、図４（ｃ）に示されるような、人物の顔にフレームがかけられたような合成画像を生成する。ここでは、合成画像生成部７１３は、例えば、顔画像の画面上に予め定められた座標位置に、正面向きのフレーム画像を重ねることにより合成画像を生成しても良いし、顔認識処理によって算出した顔画像上における眼の座標位置を算出し、両目のそれぞれがフレームのフロント枠内に納まるように合成画像を生成しても良い。また、合成画像生成部７１３は、顧客端末１００に入力される操作に応じて、顔画像に対するフレームの位置を調整することができるようにしても良い。合成画像生成部７１３は、フレームやレンズの質感が確認しやすいように、高精細、高画質な画像を生成する。
【００３５】
ここで、合成画像生成部７１３は、顧客端末１００の撮像部１１０によって撮像され送信される動画による顔画像の動きに追従して合成画像を生成する。例えば、顧客が正面を向いた状態から、図５（ａ）や図５（ｂ）のように顔が横を向いた場合に、その顔の向きに応じて、眼鏡が目の位置にあるように追従する合成画像を生成する。同様に、図５（ｃ）や図５（ｄ）のように顔が上下を向いた場合に、その顔の向きに応じて、眼鏡が目の位置にあるように合成画像を生成する。この際、合成画像生成部７１３は、例えば十分の一秒などの一定時間毎に合成画像を生成するようにしても良いし、顔画像の動きを検知した場合に、合成画像を生成するようにしても良い。
【００３６】
ここで、合成画像生成部７１３が合成画像を生成する際には、顧客端末１００によって色つきレンズが選択された場合には、レンズ部分に選択された色つきレンズに応じた色を合成した合成画像を生成する。この場合、例えば、選択されたレンズ色と濃さに関連して、風景がどのように変色して見えるかをシミュレーションし、画面上に表示することができるようにしても良い。このシミュレーションは、色無し眼鏡で見た風景と色つき眼鏡（色、濃さのパラメーター）で見た風景を比較表示して、また上記合成画像のレンズ部分の着色を変えて比較表示して行う。顧客はその色と濃さにより、自分の見る風景及び他人の見る自分の顔を確認しながら、レンズの色と濃さの選択を行うことができる。また、合成画像生成部７１３が生成する画像は、顧客端末１００に入力される操作に応じて、特定の箇所を拡大して表示させたり、回転表示させたりすることができるようにしても良い。また、合成画像生成部７１３は、顧客端末１００によって選択された眼鏡フレームにレンズを枠入れした状態のレンズ側面の厚さを示す画像を生成する。ここでは、合成画像生成部７１３は、例えば、レンズ企業端末から送信されたレンズ設計データに基づいてレンズ側面の厚さを求めて画像を生成しても良いし、販売サーバに記憶されているレンズ側面の厚さに基づいて画像を生成しても良い。また、合成画像生成部７１３は、生成した合成画像の動画を、顧客端末１００からの要求に応じて録画し、録画した動画を任意の時点で再生させるようにしても良い。これにより、例えば顧客画像において顔が横を向いたような画像も、顧客が確認できるようにすることができる。
合成画像送信部７１４は、合成画像生成部７１３によって生成された合成画像を顧客端末１００に送信する。
【００３７】
購入要求受信部７１５は、合成画像送信部７１４によって顧客端末１００に送信された合成画像に基づいて顧客によって決定される、顧客が購入するフレーム及びレンズに関する情報を受信する。ここでは、購入要求受信部７１５は、顧客が購入するフレームを識別するフレーム識別情報と、レンズを識別するレンズ識別情報とを、顧客端末１００から受信する。また、購入要求受信部７１５は、コンタクトレンズを販売する場合には、顧客端末１００から送信されるコンタクトレンズの購入要求を受信するようにしても良い。
【００３８】
モジュール選択情報受信部７１６は、フレーム画像送信部７０７が送信したモジュール毎のフレーム画像に応じて、顧客によって購入することが顧客端末１００によって選択されたモジュールの組み合わせを示すモジュール選択情報を受信する。ここでは、モジュール選択情報受信部７１６は、モジュール毎の識別情報を受信する。
購入フレーム情報送信部７１７は、顧客が購入することを選択したフレームに関する情報を、フレーム企業端末４００に送信する。例えば、購入フレーム情報送信部７１７は、購入要求受信部７１５が受信したフレーム識別情報か、またはモジュール選択情報受信部７１６が受信したモジュール選択情報を、フレーム企業端末４００に送信する。
【００３９】
購入条件受信部７１８は、眼鏡の納品までの期限または価格のいずれかが含まれる購入条件情報を、顧客端末１００から受信する。ここでは、顧客によって顧客端末１００に購入条件情報が入力され、顧客端末１００によって、入力された購入条件情報が販売サーバ７００に送信される。図９は、顧客端末１００に表示される価格選択用画面の例を示す図である。眼鏡の価格として、例えば、１万円未満（〜１万円）、１万円台（１万円〜２万円）、２万円台（２万円〜３万円）、３万円台（３万円〜４万円）、４万円以上（４万円〜）等を入力することができる。また、眼鏡の納品までの期限として、例えば、当日（１日）から１ヶ月までの任意の期限を入力することができる。
【００４０】
顧客情報記憶部７１９には、顧客を識別する顧客識別情報毎に、その顧客に関する情報が対応付けられた個人データが記憶される。個人データには、例えば、顧客の氏名、生年月日（誕生日）、住所、性別、メールアドレス、指定日（顧客によって指定された日、記念日、誕生日等）などの属性情報が含まれる。このような属性情報は、例えば予め顧客端末１００から眼鏡販売システム１への利用登録を受付けておき、利用登録の際に顧客から顧客端末１００に入力されて販売サーバ７００に送信され、記憶される。この際、販売サーバ７００によって顧客を識別する顧客識別情報が生成され、顧客端末１００から送信された情報に対応付けられて顧客情報記憶部７１９に記憶される。
【００４１】
ここで、個人データには、顧客からの購入要求に応じて製造、加工された眼鏡の配送先を示す情報が含まれる。配送先は、顧客の住所であっても良い。また、個人データには、顧客端末１００から送信された購入要求を示す購入履歴が含まれる。購入履歴には、例えば、顧客に眼鏡が購入された日時、レンズやフレームの識別情報、処方データなどが含まれる。また、顧客識別情報に応じたパスワードを登録しておき、販売サーバ７００は、顧客識別情報（ユーザＩＤ等）とパスワードとにより販売サーバ７００へのログイン処理を行うようにしても良い。また、顧客情報記憶部７１９に記憶される個人データには、眼鏡が購入された際に顧客が支払いを行なうクレジットカード情報などが記憶されるようにしても良い。
【００４２】
広告情報記憶部７２０には、フレーム情報記憶部７０４に記憶されたフレームやレンズ情報記憶部７０５に記憶されたレンズ等に関する広告情報が記憶されている。広告情報は、例えば、文字情報や画像情報などである。広告情報には、例えば眼鏡販売の料金割引を示す情報が含まれていても良い。
広告情報送信部７２１は、広告情報記憶部７２０に記憶された広告情報を読み出し、顧客端末１００に送信する。例えば、広告情報送信部７２１は、顧客情報記憶部７１９に記憶された複数の顧客情報に含まれる指定日（例えば、誕生日）を示す情報を読み出し、読み出した指定日（月日）と、自身が備える計時機能によって得られる現在月日とを比較する。広告情報送信部７２１は、読み出した誕生日と現在月日とが一致すると判定すると、広告情報記憶部７２０に記憶された広告情報を、顧客端末１００に送信する。また、広告情報送信部７２１は、指定日から所定期間前の日（例えば、誕生日から１ヶ月前の日）と現在月日とが一致すると判定した場合に、広告情報記憶部７２０に記憶された広告情報を、顧客端末１００に送信するようにしても良い。
推奨情報送信部７２２は、レンズ・フレーム抽出部７０６によって、顧客情報記憶部７１９に記憶された個人データに含まれる購入履歴に応じて抽出されたフレームまたはレンズの情報を顧客端末１００に送信する。
【００４３】
処方データ送信部７２３は、処方データ記憶部７０２に記憶された顧客の処方データを、顧客が購入するレンズを製造するレンズ企業のレンズ企業端末３００や、顧客が購入するフレームを製造するフレーム企業のフレーム企業端末４００に送信する。また、処方データ送信部７２３は、顧客端末１００からコンタクトレンズの購入要求が送信された場合には、処方データ記憶部７０２に記憶された顧客の処方データをコンタクトレンズ企業端末６００に送信する。
【００４４】
設計データ記憶部７２４には、処方データに応じたレンズの設計データが予め記憶される。設計データとは、例えば処方データに応じたレンズ表面の形状を、三次元空間における座標で示した情報である。設計データ記憶部７２４には、例えば、近視度数、遠視度数、乱視度数などに応じて、球面設計、非球面設計などの設計毎、素材、コーティング、カラーリング毎の設計データが記憶される。
設計データ送信部７２５は、購入条件受信部７１８が受信するレンズに関する情報に応じて、顧客の処方データに応じたレンズの設計データを読み出し、レンズ企業端末３００に送信する。
【００４５】
配送先送信部７２６は、顧客が購入するフレーム及びレンズの枠入れ加工を行なう組み立て企業の組み立て企業端末５００に、顧客に対応する配送先を送信する。ここでは、配送先送信部７２６は、顧客情報記憶部７１９に記憶された個人データから、眼鏡を購入した顧客に対応する配送先を読み出し、組み立て企業端末５００に送信する。組み立て企業は、配送先送信部７２６によって送信された配送先を宛先として、組み立てが完了した眼鏡を配送する。
【００４６】
次に、本実施形態による眼鏡販売システム１の動作例を説明する。図６は、眼鏡販売システム１によって、通信回線を介した情報通信に基づいて眼鏡が販売される動作例を示すシーケンス図である。
顧客端末１００は、例えば、顧客から入力される操作に応じて予め販売サーバ７００にアクセスし、氏名や住所などの個人データを販売サーバ７００に送信する。販売サーバ７００は、顧客を識別する顧客識別情報（ユーザＩＤ等）を生成し、顧客端末１００から送信された個人データに対応付けて顧客情報記憶部７１９に記憶させる。販売サーバ７００は、生成した顧客識別情報を顧客端末１００に送信する。
【００４７】
検眼者は、顧客を検眼すると、検眼結果に基づく処方データを検眼者端末２００に入力する。検眼者端末２００は、検眼者によって入力される処方データを受付ける（ステップＳ１）。この際、例えば検眼者は、予め顧客に付与された顧客識別情報を顧客から聞いておき、検眼者端末２００に入力する。検眼者端末２００は、入力された処方データと顧客識別情報とを対応付けて販売サーバ７００に送信する（ステップＳ２）。販売サーバ７００の処方データ受信部７０１は、検眼者端末２００から送信された処方データと顧客識別情報とを受信すると、処方データ記憶部７０２に記憶させる（ステップＳ３）。
【００４８】
顧客端末１００は、顧客からの操作入力に応じて、販売サーバ７００にアクセスし、例えば予め付与されたユーザＩＤとパスワードとを送信して、販売サーバ７００によって提供されるウェブサービスにログインする。販売サーバ７００は、眼鏡試着画面を顧客端末１００に送信する。顧客端末１００の撮像部１１０は、顧客の顔画像の撮像を開始する（ステップＳ４）。顧客端末１００は、撮像部１１０によって撮像された顔画像を販売サーバ７００に送信する（ステップＳ５）。ここで、撮像部１１０が撮像し販売サーバ７００に送信する画像は例えば動画であり、以降、顧客端末１００は撮像部１１０によって撮像される顧客の顔画像を送信し続ける。
【００４９】
販売サーバ７００のレンズ・フレーム抽出部７０６は、フレーム情報記憶部７０４に記憶されたフレーム候補群から、例えばフレーム形状の種別毎にフレーム画像を抽出して顧客端末１００に送信する（ステップＳ６）。また、レンズ・フレーム抽出部７０６は、レンズ情報記憶部７０５に記憶されたレンズ候補群から、例えばレンズ素材の種別毎にレンズ画像を抽出して顧客端末１００に送信する（ステップＳ７）。顧客端末１００は、販売サーバ７００から送信された複数のフレーム画像とレンズ画像とを表示部に表示させる。ここでは、顧客端末１００は、例えば、一画面に複数のフレーム画像またはレンズ画像を表示しても良いし、一画面に１つずつのフレーム画像またはレンズ画像を順次表示しても良い。顧客は、顧客端末１００の表示部に表示されたフレーム画像とレンズ画像とから、自身の好みに合ったフレームとレンズとを選択する。顧客端末１００は、顧客によって選択されたフレームとレンズとを示す情報の入力を受付けると、選択されたフレームを識別するフレーム識別情報と、選択されたレンズを識別するレンズ識別情報とを販売サーバ７００に送信する（ステップＳ８）。販売サーバ７００のレンズ・フレーム選択情報受信部７０９は、顧客端末１００から送信されるレンズ識別情報とフレーム識別情報とを受信する。
【００５０】
販売サーバ７００の顔画像受信部７１０は、ステップＳ５において送信が開始された顔画像を受信し、顔画像記憶部７１１に記憶させる。顔形状算出部７１２は、顔画像記憶部７１１に記憶された顔画像に基づいて、顔形状情報を算出する（ステップＳ９）。合成画像生成部７１３は、レンズ・フレーム選択情報受信部７０９によって受信されたレンズ識別情報に応じたレンズを、レンズ情報記憶部７０５から読み出す。また、合成画像生成部７１３は、レンズ・フレーム選択情報受信部７０９によって受信されたフレーム識別情報に応じたフレームを、フレーム情報記憶部７０４から読み出す。
【００５１】
合成画像生成部７１３は、顔画像記憶部７１１に記憶された顔画像と、顔形状算出部７１２によって算出された顔形状情報と、フレーム情報記憶部７０４から読み出したフレーム画像と、レンズ情報記憶部７０５から読み出したレンズ画像とに基づいて、合成画像を生成する（ステップＳ１０）。販売サーバ７００の合成画像送信部７１４は、合成画像生成部７１３によって生成された合成画像を、顧客端末１００に送信する（ステップＳ１１）。顧客端末１００は、販売サーバ７００から送信された合成画像を受信すると、表示部に表示させる。顧客は、表示部に表示された合成画像を見ることで、自身が眼鏡を試着した場合の装着状態を確認することができる。ここでは、撮像部１１０によって撮像され販売サーバ７００に送信される顔画像に基づいて、販売サーバ７００によってリアルタイムに合成画像が生成され、顧客端末１００に送信されて表示される。顧客は、他のレンズとフレームとを試着した合成画像を見たい場合には、フレームとレンズとを選択し直して顧客端末１００に入力する。顧客端末１００が選択されたフレームの識別情報とレンズの識別情報とを販売サーバ７００に送信し、ステップＳ８からステップＳ１１の処理を繰り返すことで、顧客は複数のフレームおよびレンズを試着した合成画像を見ることができる。
【００５２】
顧客は、自身が購入したいレンズとフレームとを選択すると、購入意思を示す情報を顧客端末１００に入力する。顧客端末１００は、顧客から入力されるフレームとレンズとの入力を受付けると（ステップＳ１２）、入力されたフレームとレンズとの購入要求を販売サーバ７００に送信する（ステップＳ１３）。販売サーバ７００の購入要求受信部７１５が、顧客端末１００から送信された購入要求を受信すると、処方データ送信部７２３は、処方データ記憶部７０２に記憶された処方データを読み出し、レンズ企業端末３００に送信する。また、設計データ送信部７２５は、処方データ記憶部７０２に記憶された処方データに応じた設計データを設計データ記憶部７２４から読み出し、レンズ企業端末３００に送信する（ステップＳ１４）。ここで、設計データには、顧客端末１００によって選択されたレンズ識別情報が含まれる。また、レンズ企業は、販売サーバ７００からレンズ企業端末３００に送信される処方データ等に基づいて、レンズの設計データを作成するようにしても良い。購入フレーム情報送信部７１７は、購入要求受信部７１５が受信した購入要求に含まれるフレーム識別情報と処方データとを、フレーム企業端末４００に送信する（ステップＳ１５）。販売サーバ７００は、眼鏡の配送先を、フレーム企業端末４００に送信する（ステップＳ１６）。
【００５３】
レンズ企業端末３００が受信した処方データと設計データとに基づいて、レンズ企業によってレンズが製造、加工されると、加工されたレンズは組み立て企業端末５００に配送される。また、フレーム企業端末４００が受信した処方データと、フレーム識別情報とに基づいて、フレーム企業によってフレームが製造、加工されると、加工されたフレームは組み立て企業に配送される。また、フレーム企業は、フレーム企業端末４００が受信したフレーム識別情報に対応するフレームの在庫品を組み立て企業に配送するようにしても良い。組み立て企業は、レンズ企業から配送されたレンズとフレーム企業から配送されたフレームとを加工して組み立てると、ステップＳ１６において組み立て企業端末５００が受信した眼鏡の配送先に、組み立てた眼鏡を配送する。
【００５４】
このように、本実施形態によれば、検眼者による処方データの入力から、顧客によるフレームとレンズの選択、検眼結果に基づく処方データに応じたレンズ企業によるレンズの加工、組み立てられた眼鏡の顧客への配送まで、眼鏡の購入のために必要な全ての工程を、ネットワークを介して行なうことができる。これにより、顧客が眼鏡販売店に赴くことなく、ネットワークを介してより簡単に、かつ自身の検眼結果に応じた適切な眼鏡を購入することができる。このため、例えば、眼鏡販売店の存在しない地域に顧客が住んでいるような場合にも、その顧客が眼鏡を購入することができ、また眼鏡販売者は眼鏡を販売することができる。また、眼鏡販売店の実店舗の存在が必要なくなるため、眼鏡販売のための実店舗運用の諸コストが削減でき、効率良い流通が可能となる。このように、本実施形態によれば、より広い地域の顧客に、より低コストで、簡単で適切な眼鏡販売を行なうことが可能となる。
【００５５】
なお、本実施形態では、検眼者端末２００が移動可能な無線局であるとして説明したが、例えば、眼鏡販売店が存在しない地域に検眼者が行き、顧客の検眼を行なった後、例えば検眼者端末２００を介してＵＳＢ（Universal Serial Bus）メモリやＣＤ（コンパクトディスク）などの可搬記憶媒体に処方データを記憶させ、販売サーバ７００または顧客端末１００が可搬媒体から処方データを読み込むようにしても良い。
また、本実施形態では、販売サーバ７００が、顔画像、フレーム画像、レンズ画像を合成して合成画像を生成して、顧客端末１００に送信する機能を備えるようにしたが、合成画像を生成する機能は、顧客端末１００が備えるようにしても良い。この場合、例えばスクリプトを実行可能な動画プログラムを販売サーバ７００から顧客端末１００に送信し、ダウンロードしたプログラムに基づいて顧客端末１００が合成画像を生成する処理を行うようにしても良い。
【００５６】
また、本実施形態では、レンズ画像とフレーム画像と顔画像とを合成した合成画像を生成するようにしたが、レンズ画像とフレーム画像とのみを合成した合成画像を生成し、顧客端末１００に送信されるようにしても良い。また、フレーム画像と顔画像とのみを合成した合成画像を生成し、顧客端末１００に送信されるようにしても良い。
また、顧客情報記憶部７１９には、顧客毎の購入履歴等に応じたポイントなどを記憶させ、ポイントによる割引制度などを導入するようにしても良い。
また、フレーム情報記憶部７０４やレンズ情報記憶部７０５に新製品が記憶された場合には、新着情報を顧客端末１００にメール等で送信するようにしても良い。
また、統計や予め定められた情報などに基づいて、顔画像における顔の形状に応じて似合うと思われる眼鏡を推奨するようにしても良い。図１０は、顧客端末１００に表示される顔形状選択用画面の例を示す図である。顔形状として、例えば、丸型、三角、四角、菱形、ホームベース等を入力することができる。
【００５７】
また、眼鏡販売システム１の運営者が眼科医などと提携し、眼科医に、販売サーバ７００によって提供されるウェブサービスの紹介をしてもらうようにしても良い。
また、レンズにおける反射防止膜の性能を見るために、種類の異なるレンズ毎の反射状態を画像に表示して顧客端末１００に送信し、確認できるようにしても良い。例えば、選択されたレンズの種類に関連して、レンズによる反射がどのように変化するかをシミュレーションし、画面上に表示することができるようにしても良い。顧客はレンズの種類により、レンズの反射色、自分の見る風景、他人の見る自分の顔等を確認しながら、反射防止膜の性能を考慮してレンズの選択を行うことができる。
また、個人情報の流出を防ぐため、顧客端末１００から販売サーバ７００に送信された顔画像は、顧客端末１００からの接続が切断された時点で、販売サーバ７００内の記憶部から削除するようにしても良い。
【００５８】
また、描画ツールなどでオリジナルのフレームのフレーム画像を作成し、作成したフレーム画像をフレーム企業端末４００に送信して製造、加工できるようにしても良い。
また、本実施形態では、レンズ企業と組み立て企業とは異なる企業である例を示したが、レンズ企業において、フレーム形状測定データに基づいて、縁摺り加工やヤゲン加工までの工程を行なうようにしても良い。例えば、フレーム企業は、フレームトレーサによりフレーム形状を測定して、レンズ加工に必要な情報をレンズ企業に送信するようにしても良い。そして、レンズ企業は、フレーム企業から送信された情報に基づいて、玉摺り機によりレンズを加工するようにしても良い。この場合、組み立て企業は加工を行なわずに、レンズをフレームに枠入れする工程を行なう。
また、レンズ企業、フレーム企業、組み立て企業、コンタクトレンズ企業はそれぞれ異なる企業であっても良いし、いずれか２つ以上が同じ企業であっても良い。
また、販売サーバの運営者は、レンズ企業、フレーム企業、組み立て企業、コンタクトレンズ企業と異なるようにしても良いし、いずれかの企業と同じであっても良い。
また、組み立てられた眼鏡の、顧客の耳や鼻へのフィッティング調整は、顧客が自身で調整することが可能なフレームを適用することにより行うことができる。
【００５９】
また、顧客情報記憶部７１９に記憶された個人データから生活スタイルを示す情報を利用して、眼鏡以外の商品を推奨するようにしても良い。例えば、車好きな顧客に車関係の情報を提供するようにしても良い。
また、顧客がプレゼントを贈りたい人物に販売サーバ７００への登録をしてもらい、販売サーバ７００を介してプレゼントを贈ることができるようにしても良い。
また、本実施形態では、合成画像に基づいて顧客が購入するレンズ及びフレームを選択するようにしたが、合成画像を生成せずにレンズ画像、フレーム画像に基づいて顧客が購入するレンズ及びフレームを選択するようにしても良い。
また、本実施形態では、顧客は検眼前に予め顧客識別情報を取得するようにしたが、検眼時に顧客識別情報を取得するようにしても良い。例えば、検眼者端末２００は、検眼者からの操作入力に応じて販売サーバ７００にアクセスし、販売サーバ７００によって生成される顧客識別情報（ユーザＩＤ等）を取得するようにしても良い。この場合、顧客は、検眼者端末２００によって取得された顧客識別情報を検眼者から聞くようにすれば良い。
【００６０】
また、レンズ設計のデータは、セミ材（半製品）を加工するための面形状の他に、複数種類あるセミ材のどれを使うかの情報を含むように構成されても良い。また、必要に応じて、加工されたレンズの品質確認用データとして、レンズの中心厚、縁厚、外径等のレンズ形状情報や、レンズ度数測定器等を使用してレンズ屈折力の検査をする際に用いるレンズ度数情報を含むように構成されても良い。
また、レンズの設計データは、レンズの２つある面のうち、表面の面形状データを含むように構成されても良いし、裏面の面形状データを含むように構成されても良いし、あるいは表裏両面の面形状データを含むように構成されても良い。面形状データは、点群（セミ材の加工面上の各点における空間座標（ｘ座標、ｙ座標、ｚ座標）の値の集合）で構成されたものであっても良いし、点群で構成された面形状データを面補間したデータであっても良いし、さらには、面補間したデータをＮＣ加工プログラムに変換したデータであっても良い。
また、加工されるレンズは、その種類を限定されるものではなく、単焦点レンズ、累進屈折力レンズ、中近累進レンズ、近々累進レンズなどに上記の実施形態を適用することが可能である。
【００６１】
なお、本発明における処理部の機能を実現するためのプログラムをコンピュータ読み取り可能な記録媒体に記録して、この記録媒体に記録されたプログラムをコンピュータシステムに読み込ませ、実行することにより眼鏡販売を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６３】
以上説明したように、販売サーバが、眼鏡処方のための検眼を行なう検眼者の検眼者端末から通信回線を介して送信される顧客の処方データを、顧客識別情報と対応付けて記憶し、眼鏡のフレーム候補群の画像データを顧客端末に送信し、眼鏡のレンズ候補群の画像データを顧客端末に送信し、顧客が選択するフレーム画像と、顧客が選択するレンズ画像と、顧客の顔画像との合成画像を生成し、合成画像に基づいて決定される、顧客が購入するフレーム及びレンズに関する情報を受信し、顧客の処方データを、顧客が購入するレンズを加工するレンズ企業のレンズ企業端末に送信するようにしたので、購入者の検眼結果に応じて、購入者にとってより簡単に、より適切な眼鏡を販売する眼鏡販売システムを提供することが可能となる。
【符号の説明】
【００６４】
１  眼鏡販売システム
１００  顧客端末
１１０  撮像部
２００  検眼者端末
３００  レンズ企業端末
４００  フレーム企業端末
５００  組み立て企業端末
６００  コンタクトレンズ企業端末
７００  販売サーバ
７０１  処方データ受信部
７０２  処方データ記憶部
７０３  手数料情報送信部
７０４  フレーム情報記憶部
７０５  レンズ情報記憶部
７０６  レンズ・フレーム抽出部
７０７  フレーム画像送信部
７０８  レンズ画像送信部
７０９  レンズ・フレーム選択情報受信部
７１０  顔画像受信部
７１１  顔画像記憶部
７１２  顔形状算出部
７１３  合成画像生成部
７１４  合成画像送信部
７１５  購入要求受信部
７１６  モジュール選択情報受信部
７１７  購入フレーム情報送信部
７１８  購入条件受信部
７１９  顧客情報記憶部
７２０  広告情報記憶部
７２１  広告情報送信部
７２２  推奨情報送信部
７２３  処方データ送信部
７２４  設計データ記憶部
７２５  設計データ送信部
７２６  配送先送信部
【図１】
2011192189.tif 000003
【図２】
2011192189.tif 000004
【図３】
2011192189.tif 000005
【図４】
2011192189.tif 000006
【図５】
2011192189.tif 000007
【図６】
2011192189.tif 000008
【図７】
2011192189.tif 000009
【図８】
2011192189.tif 000010
【図９】
2011192189.tif 000011
【図１０】
2011192189.tif 000012